(57)【要約】【課題】枠体に対する前面扉の開閉を適切に行う。【解決手段】本実施形態例に係るパチンコ機（遊技機）Ｐでは、前面扉３（ベース部材３０）には、この前面扉３が本体枠（枠体）４に対して閉じている状態（前面扉３の閉状態）で遊技盤５の左下領域（遊技盤の一部）５ａと対向する位置に、左スピーカ（演出装置）１７ａが設けられている。本体枠４は、前面扉３の閉状態において左スピーカ１７ａと対向する位置に、衝突を避けるための逃げ部５ｆを有している。また、前面扉３は、左スピーカ１７ａが設けられている位置に前面扉３の背面側に突出する突出部３ａを有しており、逃げ部５ｆは、有底形状の凹部となるように形成されている。【選択図】図８
2020116278.tif 000002
【特許請求の範囲】
【請求項１】
遊技球が流下する遊技領域を有する遊技盤と、前記遊技盤を保持する枠体と、前記枠体の前面に開閉自在に取り付けられた前面扉と、を備え、
前記前面扉には、前記遊技領域を除いた前記遊技盤の一部と対向する位置に、遊技に関する演出を行う演出装置が設けられており、
前記遊技盤は、前記前面扉が前記枠体に対して閉じている状態において前記演出装置と対向する位置に、衝突を避けるための逃げ部を有している、ことを特徴とする遊技機。
【請求項２】
前記前面扉は、前記演出装置が設けられている位置に該前面扉の背面側に突出する突出部を有している、ことを特徴とする請求項１に記載の遊技機。
【請求項３】
前記逃げ部は、有底形状の凹部である、ことを特徴とする請求項１または請求項２に記載の遊技機。
【発明の詳細な説明】
【技術分野】
【０００１】
本発明は、遊技盤を保持する枠体に対して前面扉が開閉自在に取り付けられた遊技機に関する。
【背景技術】
【０００２】
従来、遊技盤を保持する枠体に対して開閉自在に取り付けられた前面扉に、遊技に関する演出を行う演出装置が設けられた遊技機が知られている。例えば、特許文献１に記載の遊技機は、遊技盤を保持する枠体（外枠および内枠）と、枠体に対して開閉自在に取り付けられた前面扉とを備え、前面扉の上部には、発光部を備えた回転灯装置（演出装置）が配置されている。この回転灯装置は、前面扉の前面側に突出して設けられているので、遊技者との距離が近くなっており、遊技の進行に応じて発光すると、遊技者の注意を惹き付け易くなっている。
【先行技術文献】
【特許文献】
【０００３】
【特許文献１】特開２０１１−１１５２１０号公報
【発明の概要】
【発明が解決しようとする課題】
【０００４】
しかしながら、上記のような遊技機においては、前面扉における演出装置の形状や配置位置によっては、枠体に対する前面扉の開閉を適切に行うことができない場合がある。例えば、全長の長い円筒状の演出装置を前面扉の所定位置に配置する場合、この演出装置の後端部分が前面扉の背面側にはみ出してしまい、前面扉を枠体に対して閉じることができない虞がある。
【０００５】
本発明は、上記した実情に鑑みてなされたものであり、その目的は、枠体に対する前面扉の開閉を適切に行うことができる遊技機を提供することにある。
【課題を解決するための手段】
【０００６】
上記の課題を解決するため、本発明は、遊技球が流下する遊技領域を有する遊技盤と、前記遊技盤を保持する枠体と、前記枠体の前面に開閉自在に取り付けられた前面扉と、を備え、前記前面扉には、前記遊技領域を除いた前記遊技盤の一部と対向する位置に、遊技に関する演出を行う演出装置が設けられており、前記遊技盤は、前記前面扉が前記枠体に対して閉じている状態において前記演出装置と対向する位置に、衝突を避けるための逃げ部を有している、ことを特徴とする。
【０００７】
また、上記構成において、本発明は、前記前面扉は、前記演出装置が設けられている位置に該前面扉の背面側に突出する突出部を有している、ことを特徴とする。
【０００８】
また、上記構成において、本発明は、前記逃げ部は、有底形状の凹部である、ことを特徴とする。
【発明の効果】
【０００９】
本発明によると、枠体に対する前面扉の開閉を適切に行うことができる。
【図面の簡単な説明】
【００１０】
【図１】本実施形態例に係るパチンコ機の外観を示す正面図である。
【図２】図１に示すパチンコ機の外観を示す斜視図である。
【図３】図１に示すパチンコ機の前面扉を開放した状態を示す斜視図である。
【図４】図１に示すパチンコ機の背面図である。
【図５】図３に示す前面扉の突出部と本体枠が保持する遊技盤の逃げ部を示す拡大図である。
【図６】図３に示す前面扉のベース部材を示す正面図である。
【図７】図６のＡ―Ａ線断面図である。
【図８】図７に示す突出部が逃げ部に収納されている状態を示す拡大図である。
【発明を実施するための形態】
【００１１】
発明の実施の形態について図面を参照して説明すると、図１と図２に示すように、本発明の実施形態例に係るパチンコ機（遊技機）Ｐは、遊技場の島設備に設置される縦長方形状の外枠１と、外枠１に扉状に開閉自在に取り付けられた内枠２と、内枠２の前面に扉状に開閉自在に取り付けられた前面扉３等を備えている。外枠１と内枠２によって、本体枠(枠体)４が構成されており、この本体枠４は後述する遊技盤を保持している。前面扉３には、ガラスやプラスチック等からなる透明板６が取り付けられている。
【００１２】
外枠１の左側枠部には、上側軸受け体１Ａと下側軸受け体１Ｂが固着されている。一方、内枠２の左側枠部の上下両端には、第１ピン（図示せず）が設けられている。これら両第１ピンを上側軸受け体１Ａと下側軸受け体１Ｂに軸支することによって、内枠２を外枠１に対して開閉自在に支持する第１ヒンジ機構が構成されている。
【００１３】
内枠２の右側枠部は第１ヒンジ機構と反対側の自由端側であり、この右側枠部にはシリンダ錠７が設けられている。図示は省略されているが、内枠２の右側面にはシリンダ錠７を有する施錠装置が設置されている。この施錠装置は内枠２の裏面側に突出する後部施錠杆と、内枠２の前面側に突出する前部施錠杆とを備えている。常態では、施錠装置の後部施錠杆によって外枠１に対して内枠２が施錠されると共に、前部施錠杆によって内枠２に対して前面扉３が施錠されている。シリンダ錠７の鍵穴に図示せぬ鍵を差し込んでこれを一方向（例えば時計回り）へ回動すると、後部施錠杆が下動して内枠２が開錠されるようになっている。また、シリンダ錠７の鍵穴に差し込んだ鍵を他方向（反時計回り）へ回動すると、前部施錠杆が上動して前面扉３が開錠されるようになっている。
【００１４】
前面扉３の左側枠部の上下両端には、第２ピン（図示せず）が設けられており、これら両第２ピンを内枠２の左側枠部に突設した上下の支持板２ａ，２ｂに軸支することによって、前面扉３を内枠２の左側枠部に対して開閉自在に支持する第２ヒンジ機構が構成されている。
【００１５】
図３に示すように、内枠２の上部内側には遊技盤５が収納されており、この遊技盤５は遊技球が流下する遊技領域５０を有している。遊技盤５の遊技領域５０は、ガイドレール５１等によって略円形状に区画されているとともに、透明板６を透して目視可能となっている。この遊技領域５０には、演出表示装置５２、始動入賞口５３、一般入賞口５４等が設けられており、遊技盤５よりも下方の内枠２には遊技球を遊技領域５０に向けて発射する発射装置４０等が配設されている。
【００１６】
内枠２の左側枠部には、上下方向に沿って一対の保持部材８ａ，８ｂが設けられている。遊技盤５は、例えば合成樹脂材料からなるカバー部材５０ａを遊技領域５０の周りに有しており、このカバー部材５０ａは、遊技盤５が内枠２に収納された状態において保持部材８ａ，８ｂと衝突しないように形成されている。具体的には、遊技盤５の左下領域５ａにおいては、カバー部材５０ａは、下方の保持部材８ａとの干渉を避けるために、左側面から所定形状に切り取られた切欠き部６０を有している。また、遊技盤５の左上領域５ｂにおいては、カバー部材５０ａは、上方の保持部材８ｂとの干渉を避けるために、遊技領域５０に沿って半アーチ形状に形成されている。このように構成された遊技盤５の左下領域５ａおよび左上領域５ｂによって、遊技盤５をその左側部から内枠２に挿入可能な構成が実現されている。
【００１７】
一方で、遊技盤５の右上領域５ｃと右下領域５ｄにおいては、上下方向に一対の固定機構９ａ，９ｂが設けられている。詳細な説明は省略するが、遊技盤５を内枠２に挿入した状態で、固定機構９ａ，９ｂのつまみを所定方向に回動させることにより、遊技盤５が内枠２にロックされるようになっている。なお、図３においては、下方の固定機構９ｂは前面側を蓋部で閉じられた状態になっているが、この蓋部の背面側においては上方の固定機構９ａと同様につまみを有したロック構造となっている。
【００１８】
図１および図２に戻り、前面扉３は、ベース部材３０（図６参照）と、ベース部材３０の前面側に配置される前面ユニット３１とで構成されている。ベース部材３０は、その中央に透明板６によって塞がれる開口部３００を有しており、この開口部３００を除いた位置に前面ユニット３１が設けられている。この前面ユニット３１は、透明板６の下方に位置して遊技球を収容可能な上段受皿１３および下段受皿１４と、下段受皿１４の右側方に取り付けられて遊技球の発射操作を行うための操作ハンドル１６とを有している。また、この前面ユニット３１は、前面扉３に設けられる各種演出装置の基台となるものであり、前面ユニット３１の所定位置に各種演出装置が設けられている。具体的には、透明板６の上方から左側方にかかる部位を囲むように装飾レンズ１０が設けられ、透明板６の右上方に回転灯ユニット１１が設けられ、回転灯ユニット１１の真下であって透明板６の右側方にサイドパネルユニット１２が設けられ、上段受皿１３の前面中央に演出操作ユニット１５が設けられ、透明板６の左右下方と上方にスピーカ１７ａ〜１７ｄが設けられている。
【００１９】
装飾レンズ１０の内部には複数のＬＥＤ（図示せず）が設けられており、これらＬＥＤが遊技の進行に伴って種々の色や発光パターンで発光するという演出が行われるようになっている。回転灯ユニット１１には環状に配置した複数のＬＥＤ（図示せず）が設けられており、各ＬＥＤが配置順に点灯と消灯を繰り返すことにより、恰も回転灯が発光しているような演出を実行できるようになっている。サイドパネルユニット１２は前方に向けて突出するように形成された略長方形薄板状の装飾用装置であって、この装置に内装されたデザインシート（図示せず）の視認性を高めるためのものである。
【００２０】
上段受皿１３には、図示せぬ遊技球貸出装置により貸し出される遊技球や、パチンコ機Ｐの賞球払出装置から払い出される賞球が導かれるようになっており、この上段受皿１３が遊技球で一杯になると、その後に貸し出されたり払い出されたりする遊技球は下段受皿１４に導かれるようになっている。操作ハンドル１６は遊技者が所定方向へ向けて回転操作できるように形成されており、遊技者が操作ハンドル１６を回転操作すると、上段受皿１３に受容されている遊技球が前述した発射装置４０（図３参照）に送られ、この発射装置４０により操作ハンドル１６の回転角度に応じた強度で遊技球が発射されるようになっている。演出操作ユニット１５は、遊技の進行に伴って実行される演出の切り替え等を行えるようになっている。スピーカ１７ａ〜１７ｄは、遊技の進行に応じて、遊技に関する様々な音を出力できるようになっている。
【００２１】
本実施形態例では、スピーカ１７ａ〜１７ｄは何れも、磁石やコイル等から構成された駆動回路を包囲する円筒状の外装ケースと、この外装ケースの前方に取り付けられるホーン部とを有している。そして、これらスピーカ１７ａ〜１７ｄのうち、透明板６の右下方に設けられたスピーカ１７ｂと透明板６の上方に設けられたスピーカ１７ｃ，１７ｄは、前面扉３の前面ユニット３１内にその外装ケースが収容されるように配置されている。一方で、透明板６の左下方に設けられたスピーカ（以下、左スピーカと言う。）１７ａは、上段受皿１３とのスペースの制約により、前面扉３の背面側に外装ケースが突出するように配置されている。詳細は後述するが、図５に示すように、前面扉３は、この左スピーカ１７ａの形状や配置位置に合わせて背面側に突出している突出部３ａを有している。そして、本体枠４が保持する遊技盤５は、この突出部３ａとの衝突を回避できるように構成されている。
【００２２】
図４に示すように、このパチンコ機Ｐの背面側には、遊技に関する主要な処理を行う主制御基板１８と、主制御基板１８からの指令を受けて演出表示装置５２やスピーカ１７ａ〜１７ｄ等の各種演出装置を制御する副制御基板１９と、前述した賞球払出装置２０と、主制御基板１８からの指令を受けて賞球払出装置２０を制御する払出制御基板２１と、操作ハンドル１６の回転操作量に応じて発射装置４０の作動を制御する発射制御基板２２と、大当たり回数等の各種情報を遊技場のホールコンピュータに出力する外部端子基板２３等が設けられている。主制御基板１８には、ＣＰＵ（Central Processing Unit）と、予め定められた制御プログラムを格納するＲＯＭ（Read Only Memory）と、生成された処理情報の一時記憶および記憶した情報の削除を行うＲＡＭ（Random Access Memory）等が実装されており、このＣＰＵがＲＯＭに格納された各種プログラムやデータを読み込んで実行することにより、遊技に関する主要な処理が行われる。
【００２３】
図３に示すように、本実施形態例に係るパチンコ機Ｐでは、発射装置４０により発射されて遊技盤５の遊技領域５０を流下する遊技球が、一般入賞口５４または始動入賞口５３に入球すると、所定個数の遊技球が賞球として払い出される。また、遊技球が始動入賞口５３に入球した場合には、特別遊技を実行させるか否かを決定する大当たりの電子抽選が行われる。このとき、演出表示装置５２では、遊技状況に応じて遊技に関する各種演出が表示され、遊技が進行していくようになっている。
【００２４】
図６と図７に示すように、前面扉３の上記したベース部材３０は、例えば合成樹脂材料からなる縦長方形状の板状部材である。このベース部材３０は、中央の開口部３００に対する左下領域であって、遊技領域５０を除いた遊技盤５の左下領域５ａと対向する位置に、背面側に突出する突出部３ａを有している。この突出部３ａは、左スピーカ１７ａの形状や配置位置に合わせて形成されている。ここで、左スピーカ１７ａは、上記したように円筒状の外装ケースを有しており、この外装ケースが前面扉３の背面側に突出するように配置されている。そのため、突出部３ａは、左スピーカ１７ａの突出している外装ケースの側面を覆う第１壁部３ｂと、左スピーカ１７ａの突出している外装ケースの底面を覆う第１底部３ｃとから構成されている。第１壁部３ｂは、前面扉３（ベース部材３０）から遊技盤５に向かって下方に傾斜するように設けられている。第１底部３ｃは、前面扉３（ベース部材３０）から遊技盤５に向かって上方に傾斜するように設けられている。第１壁部３ｂの遊技盤５側の一端と第１底部３ｃの前面扉３側の周端とが連結されて、第１壁部３ｂと第１底部３ｃとが一体となっている。これら第１壁部３ｂと第１底部３ｃとによって形成された空間内に、左スピーカ１７ａの突出している外装ケースが収められることになる。
【００２５】
なお、ベース部材３０の開口部３００よりも下方の領域の右側には、上記した施錠装置の周囲を囲むように形成された窪み部３００ａや操作ハンドル１６を挿通させるための開口部３００ｂ等が設けられている。
【００２６】
本実施形態例では、図５，７，８に示すように、遊技盤５の左下領域５ａに、前面扉３の突出部３ａとの衝突を避けるための逃げ部５ｆが設けられている。この逃げ部５ｆは、前面扉３が内枠２に対して閉じている状態（以下、前面扉３の閉状態と言う。）において、突出部３ａを収納する収納部として機能し、前面扉３の突出部３ａと遊技盤５の左下領域５ａとが互いに干渉し合うことが避けられるようになっている。
【００２７】
逃げ部５ｆは、前面扉３の閉状態において、突出部３ａと対向するカバー部材５０ａを有底形状の凹部となるように形成したものである。具体的には、逃げ部５ｆは、前面扉３の閉状態において最も遊技盤５側に位置する第１壁部３ｂの周部分と対向する第２壁部５ｇと、第１底部３ｃの略上半分と対向する第２底部５ｈとから構成されている。第２壁部５ｇは、第１壁部３ｂの形状に合わせて略半円形状に曲がるように形成されている。第２底部５ｈは、第１底部３ｃの傾斜に合わせて遊技盤５の前面側から背面側に向かって深くなるように形成されており、逃げ部５ｆ自体が遊技盤５を貫通しないようになっている。
【００２８】
図８に示すように、前面扉３の突出部３ａが遊技盤５の逃げ部５ｆに収納された状態において、突出部３ａの外面と逃げ部５ｆの内面とは互いに接触しないようになっている。具体的には、突出部３ａの第１壁部３ｂと逃げ部５ｆの第２壁部５ｇとが互いに離れて位置しているとともに、突出部３ａの第１底部３ｃと逃げ部５ｆの第２底部５ｈとが互いに離れて位置している。こうして、前面扉３の閉状態においては、前面扉３の突出部３ａと遊技盤５の左下領域５ａとの干渉を避けるだけでなく、突出部３ａが逃げ部５ｆに接触して衝撃を受けることを防止できるようになっている。
【００２９】
なお、逃げ部５ｆは、図５に示すように、その左側において、上記した遊技盤５を保持する保持部材８ａの周りに形成された切欠き部６０とつながっている。具体的には、切欠き部６０の右側部分が逃げ部５ｆの左側部分に入り込んだようになっている。この切欠き部６０の入り込んだ部分も、前面扉３の突出部３ａの一部との衝突を避けるようになっている。そのため、本実施形態例では、逃げ部５ｆは、切欠き部６０の右側部分を利用して、突出部３ａとの衝突を避けるための空間を形成している。
【００３０】
以上説明したように、本実施形態例に係るパチンコ機（遊技機）Ｐでは、前面扉３には、この前面扉３が本体枠（外枠１および内枠２）４に対して閉じている状態において、この本体枠４の遊技領域５０を除いた遊技盤５の左下領域（遊技盤の一部）５ａと対向する位置に、左スピーカ（演出装置）１７ａが設けられている。遊技盤５は、前面扉３の閉状態において突出部３ａと対向する位置に、前面扉３との衝突を避けるための逃げ部５ｆを有している。したがって、前面扉３を本体枠４に対して閉じるときに、前面扉３と遊技盤５の左下領域５ａとが互いに干渉し合うことが避けられ、本体枠４に対する前面扉３の開閉を適切に行うことができる。
【００３１】
また、本実施形態例に係るパチンコ機Ｐでは、前面扉３は、左スピーカ１７ａが設けられている位置に前面扉３の背面側に突出する突出部３ａを有している。この構成によれば、左スピーカ１７ａが上段受皿１３とのスペースの制約により、前面扉３の背面側に突出するように配置しなければならない場合であっても、左スピーカ１７ａ（外装ケース）を適切に保護して配置することができる。
【００３２】
また、本実施形態例に係るパチンコ機Ｐでは、逃げ部５ｆは、遊技盤５に設けられた有底形状の凹部になっている。そのため、逃げ部５ｆを形成する際に、遊技盤５に貫通孔を設ける場合に比べて、遊技盤５の強度の低下を抑制することができる。
【００３３】
また、本実施形態例に係るパチンコ機Ｐでは、遊技盤５の左下領域５ａには、遊技盤５を内枠２に保持する保持部材８ａ，８ｂの配置を確保するための切欠き部６０が設けられており、逃げ部５ｆは、この切欠き部６０の右側部分を利用して、前面扉３の突出部３ａとの衝突を避けるための空間を形成している。そのため、遊技盤５に逃げ部５ｆを形成する際に、既存の遊技盤５の形状を有効活用して逃げ部５ｆを効率良く形成することができる。
【００３４】
なお、上記実施形態例では、遊技領域５０を除いた遊技盤５の左下領域５ａと対向する位置に、左スピーカ（演出装置）１７ａが前面扉３の背面側に突出するように設けられ、遊技盤５の左下領域５ａに逃げ部５ｆが形成されていたが、これに限られない。スピーカ（演出装置）は、遊技盤５の一部と対向する位置に前面扉３の背面側に突出するように設けられればよく、逃げ部は前面扉３の閉状態においてこのスピーカと対向する位置に設けられればよい。例えば、スピーカが遊技盤５の左上領域５ｂと対向する位置に前面扉３の背面側に突出するように設けられた場合、前面扉３のこのスピーカが設けられた位置に背面側に突出する突出部が設けられ、逃げ部はこの突出部との衝突を避けるように遊技盤５の左上領域５ｂに設けられればよい。こうすれば、上記実施形態例と同様の効果を奏することができる。
【００３５】
また、上記実施形態例では、本発明が適用される演出装置の一例として、左スピーカ１７ａを挙げて説明をしたが、これに限られない。例えば、この演出装置には、遊技の進行に応じて発光するランプや、大当たり時またはリーチ発生時に所定動作を行う役物等も含まれる。この場合、これらランプや役物等が、前面扉３において遊技盤５の一部と対向する位置に設けられたとしても、上記実施形態例と同様に、前面扉３の背面側の対応する位置に突出部が設けられるとともに、遊技盤５にこの突出部との衝突を避けるための逃げ部が設けられるようにすればよい。
【００３６】
また、上記実施形態例では、左スピーカ１７ａが前面扉３の背面側に突出するように設けられたことに合わせて、前面扉３のベース部材３０が背面側に突出する突出部３ａを有していたが、これに限られない。例えば、前面扉３のベース部材３０自体はこのような突出部３ａを有することなく、左スピーカ１７ａが背面側に直接露出するようにしてもよい。この場合、遊技盤５の左下領域５ａに形成される逃げ部５ｆは、左スピーカ１７ａと直接衝突することを避けるようになっているとともに、この左スピーカ１７ａは逃げ部５ｆに直接収納されることになる。
【００３７】
また、上記実施形態例では、左スピーカ１７ａが前面扉３の背面側に突出するように配置されていたが、これに限られない。例えば、左スピーカ１７ａ自体は前面扉３の背面側に突出するように設けられなくてもよく、左スピーカ１７ａに付随する配線等を格納する空間を形成する部分として、左スピーカ１７ａが配置された前面扉３の背面側に突出する突出部が設けられてもよい。
【符号の説明】
【００３８】
Ｐ    パチンコ機（遊技機）
３    前面扉
４    本体枠（枠体）
５    遊技盤
５０  遊技領域
５ａ  左下領域（遊技盤の一部）
５ｆ  逃げ部
１７ａ  左スピーカ（演出装置）
【図１】
2020116278.tif 000003
【図２】
2020116278.tif 000004
【図３】
2020116278.tif 000005
【図４】
2020116278.tif 000006
【図５】
2020116278.tif 000007
【図６】
2020116278.tif 000008
【図７】
2020116278.tif 000009
【図８】
2020116278.tif 000010